(57)【要約】      （修正有）【課題】仕切り溝を有していないＵ字溝を連設して成る水路に水門装置を設けることが可能な水門装置の仕切り板用ガイド具、およびガイド具を備えた水門装置を提供する。【解決手段】上下方向に長い平板状の当接板と、当接板の左右方向の両側縁に設けられ互いに間隔を開けて対向する対向板５と、当接板の下端部に設けられ対向板より下方へ突出する下側取付け部９と、下側取付け部に形成された固定具挿通穴１１とを有し、Ｕ字溝等から成る水路の内側面３１ｃに互いに対向して固定し、当接板と一対の対向板によって囲まれた空間に形成された仕切り溝７に仕切り板をスライド自在に挿入する水門装置の仕切り板用ガイド具であって、下側取付け部を水路の内側の下端部分３１ａに沿うように塑性変形させて、当接板を水路の内側面に当接させた状態で、固定具挿通穴へ穴開け工具を挿入し、固定具挿入用の穴を開ける。【選択図】図３
0003195150.tif 000002
【実用新案登録請求の範囲】
【請求項１】
上下方向に長い平板状の当接板と、前記当接板の左右方向の両側縁に設けられ互いに間隔を開けて対向する対向板と、前記当接板の下端部に設けられ前記対向板より下方へ突出する下側取付け部と、前記当接板の下端部に設けられ前記対向板より下方へ突出する下側取付け部と、前記下側取付け部に形成された固定具挿通穴とを有し、Ｕ字溝等から成る水路の内側面に互いに対向して固定し、前記当接板と一対の対向板によって囲まれた空間に形成された仕切り溝に仕切り板をスライド自在に挿入する水門装置の仕切り板用ガイド具であって、
前記下側取付け部を前記水路の内側の下端部分に沿うように塑性変形させて、しかも前記当接板を前記水路の内側面に当接させた状態で、前記固定具挿通穴へハンマードリル等の穴開け工具を挿入し、前記水路の下端部に固定具挿入用の穴を開けることを特徴とする水門装置の仕切り板用ガイド具。
【請求項２】
請求項１に記載した水門装置の仕切り板用ガイド具において、
当接板の上端部に設けられ対向板より上方へ突出する上側取付け部に形成された固定具挿通穴を有し、
前記上側取付け部を水路の縁部に沿うように塑性変形させて、しかも前記当接板を前記水路の内側面に当接させた状態で、前記上側取付け部に形成された固定具挿通穴からハンマードリル等の穴開け工具を挿入し、前記水路の縁部に固定具挿入用の穴を開けることを特徴とする水門装置の仕切り板用ガイド具。
【請求項３】
請求項１または２に記載した水門装置の仕切り板用ガイド具において、
当接板には左右一対の当接片が設けられており、前記一対の当接片は当接板の左方向と右方向へそれぞれ突出しており、しかも一対の当接片には固定具挿通穴が形成されていることを特徴とする水門装置の仕切り板用ガイド具。
【請求項４】
請求項１から３のいずれかに記載した水門装置の仕切り板用ガイド具を水路の内面に互いに対向するように取り付け、一対の仕切り溝に仕切り板を上下方向へスライド自在に挿入して構成された水門装置。
【考案の詳細な説明】
【技術分野】
【０００１】
本考案はＵ字溝等から成る水路の途中に備える水門装置の仕切り板用ガイド具、当該水門装置の仕切り板用ガイド具を備えた水門装置に関するものである。
【背景技術】
【０００２】
農業用の水路はＵ字溝を連設することで構成された比較的簡易な構造のものが多く、この水路の途中に水門装置を備える。水門装置を備えるためには例えば特許文献１に記載された仕切り溝を有する特別な構造のＵ字溝が必要である。
【先行技術文献】
【特許文献】
【０００３】
【特許文献１】実開昭６２−１７６２２８号公報
【考案の概要】
【考案が解決しようとする課題】
【０００４】
しかしながら、上記従来の水門装置は特別な構造のＵ字溝が必要となり、コストが嵩んでしまうことになる。また、Ｕ字溝を連設して水路を造る際に特別な構造のＵ字溝を配置しないと水門装置を設けることが難しい。すなわち、水路に対し水門装置を後付することが難しいという問題がある。
既設の水路に水門装置を備えるために、仕切り溝を有する仕切り板用ガイド具を水路の左右の内側面に取り付けて、この仕切り板用ガイド具の仕切り溝に仕切り板をスライド自在に差し込むことも考えられる。仕切り板用ガイド具を水路に取り付けるためには、ハンマードリルを用いて水路の垂直な内側面に穴を穿設しなければならない。
ところが、ハンマードリルはある程度の長さ寸法があるため、水路内で水平姿勢とすることは不可能であり、水路の垂直な内側面に穴を開けることができず、結局仕切り板用ガイド具を水路に取付けることは困難であるという問題もある。
本考案は上記従来の問題点に着目して為されたものであり、仕切り溝を有していないＵ字溝を連設して成る水路に水門装置を設けることを可能とした水門装置の仕切り板用ガイド具、当該水門装置の仕切り板用ガイド具を備えた水門装置の提供を、その目的とする。
【課題を解決するための手段】
【０００５】
本考案は上記課題を解決するために為されたものであり、請求項１の発明は、上下方向に長い平板状の当接板と、前記当接板の左右方向の両側縁に設けられ互いに間隔を開けて対向する対向板と、前記当接板の下端部に設けられ前記対向板より下方へ突出する下側取付け部と、前記下側取付け部に形成された固定具挿通穴とを有し、Ｕ字溝等から成る水路の内側面に互いに対向して固定し、前記当接板と一対の対向板によって囲まれた空間に形成された仕切り溝に仕切り板をスライド自在に挿入する水門装置の仕切り板用ガイド具であって、
前記下側取付け部を前記水路の内側の下端部分に沿うように塑性変形させて、しかも前記当接板を前記水路の内側面に当接させた状態で、前記固定具挿通穴へハンマードリル等の穴開け工具を挿入し、前記水路の下端部に固定具挿入用の穴を開けることを特徴とする水門装置の仕切り板用ガイド具である。
【０００６】
請求項２の発明は、請求項１に記載した水門装置の仕切り板用ガイド具において、
当接板の上端部に設けられ対向板より上方へ突出する上側取付け部に形成された固定具挿通穴を有し、
前記上側取付け部を水路の縁部に沿うように塑性変形させて、しかも前記当接板を前記水路の内側面に当接させた状態で、前記上側取付け部に形成された固定具挿通穴からハンマードリル等の穴開け工具を挿入し、前記水路の縁部に固定具挿入用の穴を開けることを特徴とする水門装置の仕切り板用ガイド具である。
【０００７】
請求項３の発明は、請求項１または２に記載した水門装置の仕切り板用ガイド具において、
当接板には左右一対の当接片が設けられており、前記一対の当接片は当接板の左方向と右方向へそれぞれ突出しており、しかも一対の当接片には固定具挿通穴が形成されていることを特徴とする水門装置の仕切り板用ガイド具である。
【０００８】
請求項４の発明は、請求項１から３のいずれかに記載した水門装置の仕切り板用ガイド具を水路の内面に互いに対向するように取り付け、一対の仕切り溝に仕切り板を上下方向へスライド自在に挿入して構成された水門装置である。
【考案の効果】
【０００９】
本考案の水門装置の仕切り板用ガイド具は、水路の垂直な内側面に穴を開けることなく、水路に取付けることができるので、仕切り溝を有していないＵ字溝を連設して成る水路に水門装置を設けることが可能となる。また、水路の水門装置を後付することができるようになる。
【図面の簡単な説明】
【００１０】
【図１】本考案の実施の形態に係る水門装置の仕切り板用ガイド具の斜視図である。
【図２】図１の水門装置の仕切り板用ガイド具の製造方法を説明するための展開図である。
【図３】図１の水門装置の仕切り板用ガイド具の水路への取り付け方法を説明するための斜視図である。
【図４】図１の水門装置の仕切り板用ガイド具の水路への取り付け方法を説明するための正面図である。
【図５】図１の水門装置の仕切り板用ガイド具を備えた水門の正面図である。
【図６】下端部分の隅角部が直角に形成されている水路に水門装置の仕切り板用ガイド具を取り付ける方法を説明するための正面図である。
【考案を実施するための形態】
【００１１】
本考案の実施の形態に係る水門装置の仕切り板用ガイド具１を図面にしたがって説明する。
符号３は当接板を示し、この当接板３は上下方向に長い平板状を為している。当接板３の左右方向の両側縁には対向板５が設けられており、対向板５は互いに間隔を開けて対向している。そして、当接板３と一対の対向板５によって囲まれた空間に仕切り溝７が形成されている。
【００１２】
当接板３の下端部には一対の対向板５より下方へ突出する下側取付け部９が設けられており、この下側取付け部９は左右方向へ長い平板状を為している。下側取付け部９の左右両端部分には固定具挿通穴１１が形成されている。
当接板３の上端部には一対の対向板５より上方へ突出する上側取付け部１３が設けられており、この上側取付け部１３は左右方向へ長い平板状を為している。上側取付け部１３の左右両端部分には固定具挿通穴１５が形成されている。
【００１３】
当接板３には左右一対の当接片１７が設けられており、一対の当接片１７は当接板３の左方向と右方向へそれぞれ突出している。一対の当接片１７には固定具挿通穴１９が形成されている。
なお、仕切り板用ガイド具１は図２に示すように鉄板２０に細幅の一対の切欠き２１、一対のＵ字状の穴２３、一対の台形状の切欠き２５及び上述の一対の固定具挿通穴１１、１５、１９を線対称となるように形成し、一点鎖線で示す部分を直角に折り曲げて、塑性変形させて製造する。このように仕切り板用ガイド具１は一枚の鉄板から成り、溶接を行うことなく製造することができるので製造コストを低く抑えることが可能である。
【００１４】
次に、水門装置の仕切り板用ガイド具１を水路３１に取り付けるための作業を説明する。この水路３１はＵ字溝を連設して成り、底部近傍の隅角部３１ａが湾曲する形状となっている。
図４に示すように、下側取付け部９を水路３１の内側の下端部分の隅角部３１ａに沿うように湾曲するように曲げて塑性変形させる。また、上側取付け部１３を水路の縁部３１ｂに沿うようにほぼ水平姿勢となるようにほぼ直角に曲げて塑性変形させる。そして、当接板３を水路３１の垂直な内側面３１ｃに当接させ、且つ下側取付け部９を隅角部３１ａに、上側取付け部１３を縁部３１ｂにそれぞれ当接させる。
【００１５】
次いで、ハンマードリル３３のドリル部３３ａを下側取付け部９の固定具挿通穴１１へ挿入して隅角部３１ａに穴を開ける。このように、下側取付け部９を湾曲する隅角部３１ａに当接させることができるので、隅角部３１ａに対し穴を穿設することが可能となる。従って、ハンマードリル３３を水路３１内で傾斜姿勢として穴開け作業を行うことが可能となる。
また、上側取付け部１３の固定具挿通穴１５へ穴開け工具としてのハンマードリル３３のドリル部３３ａを挿入して縁部３１ｂに穴を開ける。
【００１６】
そして、固定具としてのアンカー３５を固定具挿通穴１１へ挿入し、隅角部３１ａに穿設した穴へ入れて打ち込み、また、アンカー３５を固定具挿通穴１５へ挿入し、隅角部３１ｂに穿設した穴へ入れて打ち込んで、仕切り板用ガイド具１を水路３１の内側面３１ｃに取り付ける。
なお、当接片１７の固定具挿通穴１９は幅広の水路に仕切り板用ガイド具１を取り付ける場合に用いる。すなわち、ハンマードリル３３を水路内において水平姿勢で使用できる場合に用いる。
【００１７】
上記と同様にしてもう一つの仕切り板用ガイド具１を水路３１に取り付けた仕切り板用ガイド具１に対向するように取り付ける。そして、一対の仕切り板用ガイド具１の仕切り板３７を仕切り溝７へスライド自在に挿入し、水門装置３９を完成させる。
このように、水門装置の仕切り板用ガイド具１を用いれば、水路３１の垂直な内側面３１ｃに穴を開けることなく、水門装置の仕切り板用ガイド具１を水路３１に取り付けることができる。従って、ハンマードリル３３を傾斜姿勢または垂直に立てた姿勢で穴あけ作業を行えばよく、仕切り溝を有していないＵ字溝を連設して成る水路３１に水門装置を設けることが可能となる。また、水路３１の水門装置３９を後付することができるようになる。
【００１８】
図６に示すように水路４１の下端分の隅角部が直角に形成されている場合は、水門装置の仕切り板用ガイド具１の下側取付け部９を水路４１の内側の下端部分の隅角部４１ａに沿うように直角に曲げて塑性変形させる。従って、ハンマードリル３３をほぼ垂直に立てて穴開け作業を行うことが可能となる。
【００１９】
以上、本考案の実施の形態について詳述してきたが、具体的構成は、この実施の形態に限られるものではなく、本考案の要旨を逸脱しない範囲における設計の変更などがあっても考案に含まれる。
例えば、当接片１７を設けない構成とすることも可能である。
なお、上記実施の形態では、Ｕ字溝を連設して成る水路３１を示したが、コンクリートを現場で打設して構築した水路に本考案の水門装置の仕切り板用ガイド具を用いて水門を備えることができるのは勿論である。
【産業上の利用可能性】
【００２０】
本考案の水門装置の仕切り板用ガイド具は水門装置の構成部材の製造業、水門設置工事業において産業上利用可能性を有する。
【符号の説明】
【００２１】
１…水門装置の仕切り板用ガイド具      ３…当接板
５…対向板      ７…仕切り溝        ９…下側取付け部
１１…固定具挿通穴      １３…上側取付け部      １５…固定具挿通穴
１７…当接片      １９…固定具挿通穴      ２０…鉄板
２１…切欠き      ２３…Ｕ字状の穴      ２５…台形状の切欠き
３１…水路      ３１ａ…水路の底部近傍の隅角部
３１ｂ…水路の縁部      ３１ｃ…水路の内側面
３３…ハンマードリル      ３３ａ…ハンマードリルのドリル部
３５…アンカー      ３７…仕切り板    ３９…水門装置
【図１】
0003195150.tif 000003
【図２】
0003195150.tif 000004
【図３】
0003195150.tif 000005
【図４】
0003195150.tif 000006
【図５】
0003195150.tif 000007
【図６】
0003195150.tif 000008
【手続補正書】
【提出日】平成26年10月24日(2014.10.24)
【手続補正１】
【補正対象書類名】実用新案登録請求の範囲
【補正対象項目名】請求項１
【補正方法】変更
【補正の内容】
【請求項１】
上下方向に長い平板状の当接板と、前記当接板の左右方向の両側縁に設けられ互いに間隔を開けて対向する対向板と、前記当接板の下端部に設けられ前記対向板より下方へ突出する下側取付け部と、前記下側取付け部に形成された固定具挿通穴とを有し、Ｕ字溝等から成る水路の内側面に互いに対向して固定し、前記当接板と一対の対向板によって囲まれた空間に形成された仕切り溝に仕切り板をスライド自在に挿入する水門装置の仕切り板用ガイド具であって、
前記下側取付け部を前記水路の内側の下端部分に沿うように塑性変形させて、しかも前記当接板を前記水路の内側面に当接させた状態で、前記固定具挿通穴へハンマードリル等の穴開け工具を挿入し、前記水路の下端部に固定具挿入用の穴を開けることを特徴とする水門装置の仕切り板用ガイド具。